(57)【特許請求の範囲】
【請求項１】
上下方向に延設状態で壁面（Ｗ）に配置される縦型手摺であって、
上記壁面（Ｗ）に固定される上下一対の固定部材（１）、（１）と、該一対の固定部材（１）、（１）間に介設され使用者によって把持される直棒状の手摺本体（２）を備えるとともに、
上記手摺本体（２）はその軸心回りに回転可能とされ、且つ回転抵抗付与手段（Ｘ）によって回転抵抗が付与される構成であることを特徴とする縦型手摺。
【請求項２】
請求項１において、
上記回転抵抗付与手段（Ｘ）が、軸方向への弾性変形量に対応した弾圧力を発生する皿バネ（１０）を備え、該皿バネ（１０）の弾圧力を上記固定部材（１）と上記手摺本体（２）の相対摺接面に伝達して該相対摺接面に摩擦力を発生させる構成であることを特徴とする縦型手摺。
【請求項３】
請求項１又は２において、
上記回転抵抗付与手段（Ｘ）による回転抵抗を調整する調整手段（Ｙ）を備えたことを特徴とする縦型手摺。
【請求項４】
請求項３において、
上記調整手段（Ｙ）は、上記皿バネ（１０）の弾性変形量を増減調整する構成であることを特徴とする縦型手摺。
【請求項５】
請求項１、２、３又は４において、
上記固定部材（１）が、上記壁面（Ｗ）から略直交方向へ延出しその先端に上記手摺本体（２）が取付けられる構成、又は上記壁面（Ｗ）から略直交方向へ延出したのち該壁面（Ｗ）の面方向に沿って側方へ延出しその先端に上記手摺本体（２）が取付けられる構成であることを特徴とする縦型手摺。
【発明の詳細な説明】
【技術分野】
【０００１】
本願発明は、例えば、浴室内とかトイレ内等の比較的人の歩行範囲が狭い場所に設置されるに好適な縦型手摺に関するものである。
【背景技術】
【０００２】
一般に、縦方向（上下方向）に向けて延設される縦型手摺は、例えば、特許文献１に示されるような浴室内の壁面とか、特許文献２に示されるようなトイレ内の壁面に設置されることが多い。このような浴室とかトイレの内部では人の歩行が比較的狭い範囲に限定されることから、ここでの人の歩行挙動は、内部壁面に設置された手摺を把持したまま、該手摺を中心とする略半円状の限られた範囲を歩行するものとなり、係る場合には壁面に沿って横方向へ延設された横型の手摺よりも、壁面に沿って縦方向へ延設された縦型の手摺の方が、上記挙動からして最も自然であると考えられるからである。
【０００３】
ところで、このように縦型手摺の場合には、人がこれを把持して体重の一部を掛けたとき、手が滑り落ち易いことから、安定的な歩行挙動を確保するためには手摺を強く掴むことが必要となる。一方、上述のように、縦型手摺を使用する場合、人は手摺を把持したまま、該手摺を中心とする略半円状の範囲を歩行するのが一般的な使用形態であることから、手摺を強く把持すると歩行に伴って手首の曲りが次第に大きくなりスムーズな歩行が阻害されることになる。
【０００４】
このような手摺の把持に関する相反する要求から、手摺の使用に際しては、例えば、
（ア）把持力を比較的低く抑えて、掌を手摺表面で滑らせながら連続的に歩行する、（イ）手摺を強く把持して体をある程度歩行させた後、一旦、把持力を緩めて体の位置に対応するように手摺を握り直し、再度歩行を開始する、
等の対応を余儀なくされており、これら何れにおいても、身体の安全且つスムーズな歩行を介助する、という手摺本来の機能が十分に発揮されているとは言えないものである。
【０００５】
一方、手摺と同様に人が把持して使用するものとしてドアハンドルがあり、このドアハンドルにおいては、スムーズなドアの開閉を確保する等の観点から、把持部を回転可能に構成したものが提案されており（例えば、特許文献３、４  参照）、このドアハンドルにおける把持部の機能を縦型手摺に持ち込むことも考えられる。
【０００６】
しかし、ドアハンドルは、人が同一位置に立ったまま腕の力でドアを開閉するものであって、手摺のような「把持力で人の体重の一部を負担する」という使用条件は無く、このドアハンドルの回転機構では、把持部をいかに軽快且つスムーズに回転させるか、が重要課題とされている。従って、「把持力で人の体重の一部を負担する」という使用条件を全く考慮するところの無いドアハンドルの回転機構を縦型手摺に適用した場合には、手摺が人の挙動に関係なく自由に回転することから、手摺を使用する人の安全性を確保することができず、場合によっては、不必要な手摺の回転によって体勢が崩れて転倒に至ることも懸念される。
【特許文献１】特開平７−１５０７８１号公報
【特許文献２】特開２０００−１９７５８９号公報
【特許文献３】特開２０００−１７９１９３号公報
【特許文献４】特開２００５−２３６０９号公報
【発明の開示】
【発明が解決しようとする課題】
【０００７】
そこで本願発明は、縦型手摺の使用条件を考慮した上で、使用上の安全性に優れた縦型手摺を提供することを目的としてなされたものである。
【課題を解決するための手段】
【０００８】
本願発明では、上記課題を解決するために以下のような構成を採用している。
【０００９】
本願の第１の発明では、上下方向に延設状態で壁面Ｗに配置される縦型手摺において、上記壁面Ｗに固定される上下一対の固定部材１、１と、該一対の固定部材１、１間に介設され使用者によって把持される直棒状の手摺本体２を備えるとともに、上記手摺本体２をその軸心回りに回転可能とし、且つ回転抵抗付与手段Ｘによって回転抵抗を付与するようにしたことを特徴としている。
【００１０】
本願の第２の発明では、上記第１の発明に係る縦型手摺において、上記回転抵抗付与手段Ｘを、軸方向への弾性変形量に対応した弾圧力を発生する皿バネ１０を備え、該皿バネ１０の弾圧力を上記固定部材１と上記手摺本体２の相対摺接面に伝達して該相対摺接面に摩擦力を発生させるように構成したことを特徴としている。
【００１１】
本願の第３の発明では、上記第１又は第２の発明に係る縦型手摺において、上記回転抵抗付与手段Ｘによる回転抵抗を調整する調整手段Ｙを備えたことを特徴
としている。
【００１２】
本願の第４の発明では、上記第３の発明に係る縦型手摺において、上記調整手段Ｙを、上記皿バネ１０の弾性変形量を増減調整する構成としたことを特徴としている。
【００１３】
本願の第５の発明では、上記第１、第２、第３又は第４の発明に係る縦型手摺において、上記固定部材１を、上記壁面Ｗから略直交方向へ延出しその先端に上記手摺本体２が取付けられる構成、又は上記壁面Ｗから略直交方向へ延出したのち該壁面Ｗの面方向に沿って側方へ延出しその先端に上記手摺本体２が取付けられる構成としたことを特徴としている。
【発明の効果】
【００１４】
本願発明では次のような効果が得られる。
（ａ）本願の第１の発明に係る手摺装置によれば、上記壁面Ｗに固定される上下一対の固定部材１、１と、該一対の固定部材１、１間に介設され使用者によって把持される直棒状の手摺本体２を備えるとともに、上記手摺本体２をその軸心回りに回転可能とし、且つ回転抵抗付与手段Ｘによって回転抵抗を付与するようにしているので、
（ａ−１）  上記手摺本体２がその軸心回りに回転可能とされていることから、該手摺本体２を把持して人が歩行する場合、該手摺本体２を強く把持し続けても、該手摺本体２に対する身体の相対移動に追従して上記手摺本体２が回転し、該手摺本体２とこれを把持する手指及び掌の相対関係が当初のまま維持され、手首を曲げる必要性が極めて少なく、自然な体勢で歩行できる、
（ａ−２）  上記回転抵抗付与手段Ｘによって上記手摺本体２に回転抵抗が付与されることから、該手摺本体２を把持し且つ該手摺本体２に体重の一部を掛けた状態で人が歩行する場合、上記回転抵抗によって、上記手摺本体２が不用意に回転するとか、過度に回転して身体の歩行が追いつかず体勢が崩れる等のことが未然に防止され、
これらの相乗効果として、上記手摺本体２を確実に把持して体重の一部を上記手摺本体２に掛けて、自然な姿勢で安全に歩行することができるなど、安全性に優れた縦型手摺を提供できる。
（ｂ）本願の第２の発明に係る手摺装置よれば、上記（ａ）に記載の効果に加えて以下のような特有の効果が得られる。即ち、この発明では、上記回転抵抗付与手段Ｘを、軸方向への弾性変形量に対応した弾圧力を発生する皿バネ１０の該弾圧力を上記固定部材１と上記手摺本体２の相対摺接面に伝達して該相対摺接面に摩擦力を発生させるように構成している。
【００１５】
ここで、上記皿バネ１０は、その特性として、軸方向寸法が小さく、且つ小さな軸方向（厚さ方向）への変形によって大きな弾圧力を発生させることができるものであることから、該皿バネ１０によって上記摩擦力を発生させる構成とすることで、例えば、コイルスプリングの弾圧力によって摩擦力を発生させる構成の場合に比して、上記回転抵抗付与手段Ｘの上記手摺本体２又は上記固定部材１への組み込みが容易であり、その結果、縦型手摺のコンパクト化及び低コスト化が可能となる。
（ｃ）本願の第３の発明に係る手摺装置よれば、上記（ａ）又は（ｂ）に記載の効果に加えて以下のような特有の効果が得られる。即ち、この発明では、上記回転抵抗付与手段Ｘによる回転抵抗を調整する調整手段Ｙを備えている。
【００１６】
ここで、人の握力には個人差があり、上記手摺本体２を把持して人が歩行する場合、例えば、握力に対して上記手摺本体２の回転抵抗が大き過ぎると、人の歩行に追随させて上記手摺本体２を回転させることができず、該手摺本体２と掌の間に滑りが生じることになり、逆に、握力に対して上記回転抵抗が小さ過ぎると、人の歩行状態に関係なく上記手摺本体２が不用意に回転することになり、これら何れの場合にも歩行上の安全性が損なわれることになる。
【００１７】
この場合、この発明のように、上記調整手段Ｙによって、手摺を使用する人の握力に対応させて上記手摺本体２の回転抵抗を設定すれば、握力の個人差に影響されることなく、常に安全性の高い歩行が実現され、延いては縦型手摺の商品価値の向上が図れる。
（ｄ）本願の第４の発明に係る手摺装置よれば、上記（ｃ）に記載の効果に加えて以下のような特有の効果が得られる。即ち、この発明では、上記調整手段Ｙを、上記皿バネ１０の弾性変形量を増減調整する構成としているので、該調整手段Ｙの構成が簡単であり、延いては縦型手摺の低コスト化が促進される。
（ｅ）本願の第５の発明に係る手摺装置よれば、上記（ａ）、（ｂ）、（ｃ）又は（ｄ）に記載の効果に加えて以下のような特有の効果が得られる。即ち、この発明では、上記固定部材１を、上記壁面Ｗから略直交方向へ延出しその先端に上記手摺本体２が取付けられる構成、又は上記壁面Ｗから略直交方向へ延出したのち該壁面Ｗの面方向に沿って側方へ延出しその先端に上記手摺本体２が取付けられる構成としている。従って、前者の構成、即ち、平面Ｗに向かって見たとき上記手摺本体２が上記一対の固定部材１、１の固定位置と同一位置に存在する所謂「Ｉ形手摺」と、後者の構成、即ち、平面Ｗに向かって見たとき上記手摺本体２が上記一対の固定部材１、１の固定位置から側方へオフセットした位置に存在する所謂「オフセット手摺」の何れにおいても、上記手摺本体２に回転機能をもたせることができ、その結果、縦型手摺の多用途化、多機能化が促進される。
【発明を実施するための最良の形態】
【００１８】
以下、本願発明を好適な実施形態に基づいて具体的に説明する。
【００１９】
Ｉ：第１の実施形態
図１には、本願発明の第１の実施形態に係る縦型手摺Ｚ１を示している。この縦型手摺Ｚ１は、所謂「オフセット手摺」であって、上下一対の固定部材１、１と該各固定部材１，１間に連結された手摺本体２を備えて構成される。
【００２０】
Ａ：固定部材１
上記固定部材１は、樹脂一体成形品で構成され、図１〜図３に示すように、その基端に壁面Ｗへの固定ブラケット（図示省略）と該固定ブラケットを覆う取付部カバー２０が装着された基部１ａと、該基部１ａの先端に連続して略直交方向へ延出する中間部１ｂと、該中間部１ｂの先端に連続して該中間部１ｂと上記基部１ａを含む平面に略直交する方向へ延出する先端部１ｃを備えた二段屈曲構造をもつ管体であって、上記基部１ａの基端を上記壁面Ｗに締着することで該壁面Ｗ側に固定保持される。なお、上側の固定部材１と下側の固定部材１は、各先端部１ｃ、１ｃの先端同士を同軸上に対向させて壁面Ｗに固定できるように、反対勝手に形成されている。従って、以下においては、上側の固定部材１を例にとってその構造等を説明する。
【００２１】
上記固定部材１の上記先端部１ｃの端部側の内周には、図３に示すように、次述する樹脂製の内挿体５が取付けられている。この内挿体５は、図４にも示すように、上記固定部材１の先端部１ｃ内に嵌挿可能な外径を有するとともに、その軸心位置には大径穴５ａと小径穴５ｂが連続して形成され、この大径穴５ａと小径穴５ｂの境界部分には、該大径穴５ａに臨む座部５ｃが設けられている。また、上記小径穴５ｂ側の外周面は、他の部分より一段低位となるように小径に形成され、その境界部分には上記小径穴５ｂの端面側に臨む肩部５ｄが設けられている。
【００２２】
上記内挿体５の上記大径穴５ａ内には、上下一対の平ワッシャ９，９に挟まれた状態で二枚の皿バネ１０、１０が背向状態で配置されており、これら各皿バネ１０、１０をその軸方向（即ち、厚さ方向）へ弾性変形させることで、該弾性変形量に対応した弾圧力が発生する。さらに、上側の平ワッシャ９の上面側には、樹脂製の可動体７が配置されている。
【００２３】
このように、上記皿バネ１０と可動体７が装着された上記内挿体５は、さらに上記可動体７にワッシャ１３を介して六角穴付きの連結ボルト８を嵌挿した状態で、上記固定部材１の先端部１ｃ内に、上記可動体７側を軸方向内側に向けた状態で嵌挿され、且つ上記先端部１ｃの外面側から螺入された固定ビス６が上記可動体７に設けたビス受け穴５ｅに係入することで、該先端部１ｃ側に位置決め固定されその軸方向への移動が規制されている。
【００２４】
上記内挿体５を上記固定部材１の先端部１ｃ内に固定した状態では、上記連結ボルト８の頭部８ａが、該先端部１ｃと上記中間部１ｂのコーナ部分に設けたキャップ受け穴１８を通して外方に臨んでおり、該キャップ受け穴１８を通してレンチ１６を先端部１ｃ内に差し入れて上記連結ボルト８を螺回操作することができるようになっている。なお、上記キャップ受け穴１８は、キャップ１５を挿入することで閉塞される。
【００２５】
Ｂ：手摺本体２
手摺本体２は、縦型手摺Ｚ１において使用者が把持する把持部分となるものであって、図１〜図４に示すように、金属製の直管でなる芯材３と、該芯材３の外周に嵌挿された軟質樹脂製の被覆材４で構成される。なお、上記被覆材４の軸長は、その両端からそれぞれ上記芯材３の端部が所定長さだけ延出するように設定されている。
【００２６】
上記芯材３の両端部寄りの内周には、円板上の端板１１が固定されるとともに、該端板１１の軸心位置には緩み止め機能をもつナット１２が固定されている。
【００２７】
Ｃ：固定部材１と手摺本体２の組み付け
上記固定部材１と上記手摺本体２の組み付けは、以下の手順で行われる。
【００２８】
即ち、上記固定部材１の先端部１ｃの端部側に、上記手摺本体２の端部に露出している上記芯材３の端部を差し込み、その端面３ａを、上記固定部材１側の上記内挿体５の肩部５ｄに当接させる。この場合、上記固定部材１の先端部１ｃの端面と上記手摺本体２の上記被覆材４の端面間の隙間は、上記芯材３の端部に予め挿入しておいたリング１４によって閉塞される。
【００２９】
次に、上記固定部材１のキャップ受け穴１８からレンチ１６を差し込んで、該レンチ１６によって上記連結ボルト８を回して、その先端側を上記手摺本体２側の上記ナット１２に締め込む。この連結ボルト８の捩じ込みに伴って、上記手摺本体２が上記固定部材１側に引き寄せられ、上記芯材３の端面３ａが上記固定部材１側の内挿体５の肩部５ｄに当接した時点で、上記手摺本体２の上記固定部材１側への引き寄せが停止され、これら両者の連結が完了する。
【００３０】
後は、上記レンチ１６によって上記連結ボルト８をさらに捩じ込めば、その捩じ込み量に対応する寸法だけ上記皿バネ１０が弾性変形し、その弾性変形量に対応する弾圧力が発生し、この弾圧力が上記連結ボルト８及び上記端板１１を介して上記芯材３側に伝達され、該芯材３の端面３ａと上記内挿体５の肩部５ｄの相対摺接面に、上記皿バネ１０の弾性変形量に対応した摩擦力が発生する。この相対摺接面に発生した摩擦力は、上記手摺本体２が上記固定部材１に対して相対回転される場合の回転抵抗として現れる。そして、この回転抵抗は、上記連結ボルト８の捩じ込み量を調整して上記皿バネ１０の弾性変形量を増減変化させることで調整できる。
【００３１】
以上のように上記手摺本体２の両端にそれぞれ上記固定部材１を取付けてこれらを一体化することで縦型手摺Ｚ１が構成される。
【００３２】
そして、この縦型手摺Ｚ１では、上記手摺本体２に上記回転抵抗を上回る回転力が掛けられた場合、該手摺本体２は、上記芯材３の端面３ａと上記内挿体５の肩部５ｄの相対摺接面においてこれら両者が相対摺動することで、回転されることになる。この場合、上記手摺本体２の回転力は、上記芯材３から上記端板１１を介して上記ナット１２に伝達されるが、このナット１２が緩み止め機能をもつことから、該ナット１２と一体的に上記連結ボルト８も回転することになる。
【００３３】
従って、上記手摺本体２の回転に伴って上記ナット１２から上記連結ボルト８がねじ戻されて上記皿バネ１０の弾性変形量が変化すること、即ち、上記回転抵抗が変化することが未然に防止され、該回転抵抗は上記連結ボルト８の螺回操作によって上記皿バネ１０の弾性変形量を積極的に変化させない限り、既設定状態のまま維持されることになる。
【００３４】
なお、この縦型手摺Ｚ１では、上記皿バネ１０と連結ボルト８及びナット１２によって特許請求の範囲中の「回転抵抗付与手段Ｘ」が構成される。また、上記連結ボルト８と上記ナット１２によって、特許請求の範囲中の「調整手段Ｙ」が構成される。
【００３５】
Ｄ：縦型手摺Ｚ１の壁面Ｗへの取付け
上記縦型手摺Ｚ１は、図１に示すように、上記各固定部材１、１の各基部１ａ、１ａが上記壁面Ｗ上における同一鉛直線上に位置するようにして、該壁面Ｗに固定される。
【００３６】
この縦型手摺Ｚ１は、壁面Ｗへの固定部、即ち、上記固定部材１の基部１ａと、把持部となる上記手摺本体２が上記壁面Ｗの面方向に所定量だけオフセットされた形態であることから、例えば、浴室の入口部分のように、上記壁面Ｗの端部に、ドア開口Ｖが存在し、人がこのドア開口Ｖを通って出入りするもので、且つ該壁面Ｗとドア開口Ｖの稜線近傍には、固定強度上の理由から上記固定部材１を固定することができないにも拘らず、上記手摺本体２を把持性確保する観点から、できるだけ上記稜線に近づけて配置したいというような設置上の要求がある場合に好適な縦型手摺である。
【００３７】
Ｅ：縦型手摺Ｚ１の作用効果
上記縦型手摺Ｚ１は、把持部となる上記手摺本体２が上下方向に延設された構成であることから、これを把持し且つ歩行介助のために該手摺本体２に体重の一部を掛けた場合、手が滑り落ち易く、このため、安定的な挙動を確保するために上記手摺本体２を比較的強く掴むことが必要となる。一方、上記手摺本体２を強く把持した場合、例えば、該手摺本体２が、従来のような回転機能をもたない構造であると、歩行に伴って手首の曲りが次第に大きくなりスムーズな歩行が阻害されることは既述の通りである。
【００３８】
ところが、この実施形態の縦型手摺Ｚ１においては、上記手摺本体２が回転可能な構造であって、且つ該手摺本体２の回転に対して所要の回転抵抗が付与され、しかもこの回転抵抗を増減調整できるようになっていることから、手が滑り落ち易いという縦型手摺に特有の欠点が克服され、安全性に優れた縦型手摺とされる。
【００３９】
即ち、この実施形態に係る縦型手摺Ｚ１では、上記手摺本体２がその軸心回りに回転可能とされていることから、該手摺本体２を把持して人が歩行する場合、該手摺本体２を強く把持し続けても、該手摺本体２に対する身体の相対移動に追従して上記手摺本体２が回転し、該手摺本体２とこれを把持する手指及び掌の相対関係が当初のまま維持され、手首を曲げる必要性が極めて少なく、自然な体勢で歩行できる。
【００４０】
また、この縦型手摺Ｚ１では、上記手摺本体２に回転抵抗が付与されることから、該手摺本体２を把持し且つ該手摺本体２に体重の一部を掛けた状態で人が歩行する場合、上記回転抵抗によって、上記手摺本体２が不用意に回転するとか、過度に回転して身体の歩行が追いつかず体勢が崩れる等のことが未然に防止される。
【００４１】
これらの相乗効果として、上記手摺本体２を確実に把持して体重の一部を上記手摺本体２に掛けて、自然な姿勢で安全に歩行することができるなど、安全性に優れた縦型手摺を提供できる。
【００４２】
さらに、この縦型手摺Ｚ１では、上記皿バネ１０の弾性変形量を増減調整することで上記手摺本体２の回転抵抗を調整できるようにしているので、例えば、縦型手摺Ｚ１を使用する人の握力に対応させて上記手摺本体２の回転抵抗を設定すれば、例え人の握力に個人差があっても、この握力の個人差に影響されることなく、常に安全性の高い歩行が実現され、延いては縦型手摺Ｚ１の商品価値が向上することになる。
【００４３】
ＩＩ：第２の実施形態
図５には、本願発明の第２の実施形態に係る縦型手摺Ｚ２を示している。この縦型手摺Ｚ２は、所謂「Ｉ型手摺」であって、平面状に延設された壁面Ｗの中間位置に配置するに好適な縦型手摺であって、上記第１の実施形態に係る縦型手摺Ｚ１の場合と同様に、上下一対の固定部材１、１と該各固定部材１，１間に連結された手摺本体２を備えて構成され、且つ上記手摺本体２が回転機能を備え、しかも該手摺本体２の回転に対して所要の回転抵抗が付与されるとともに、この回転抵抗を増減調整できるものであって、上記第１の実施形態に係る縦型手摺Ｚ１と異なる点は、上記固定部材１の形態のみである。
【００４４】
即ち、後述の縦型手摺Ｚ２における上記固定部材１は、その基端に壁面Ｗへの固定ブラケット（図示省略）と該固定ブラケットを覆う取付部カバー２０が装着された基部１ａと、該基部１ａの先端に連続して略直交方向へ延出する先端部１ｃを備えたエルボ構造をもつ管体であって、上記基部１ａの基端を上記壁面Ｗに締着することで該壁面Ｗ側に固定保持される。
【００４５】
この縦型手摺Ｚ２における上記固定部材１以外の構造、及び作用効果は上記第１の実施形態の縦型手摺Ｚ１と同様であるので、これらについては上記第１の実施形態の該当説明を援用し、ここでの説明を省略する。
【図面の簡単な説明】
【００４６】
【図１】本願発明の第１の実施形態に係る縦型手摺の全体斜視図である。
【図２】図１に示した縦型手摺の断面図である。
【図３】図２のＩＩＩ部の拡大図である。
【図４】図１に示した縦型手摺の端部の構造を示す分解斜視図である。
【図５】本願発明の第２の実施形態に係る縦型手摺の全体斜視図である。
【符号の説明】
【００４７】
１    ・・固定部材
２    ・・手摺本体
３    ・・芯材
４    ・・被覆材
５    ・・内挿体
６    ・・固定ビス
７    ・・可動体
８    ・・連結ボルト
９    ・・平ワッシャ
１０    ・・皿バネ
１１    ・・端板
１２    ・・ナット
１３    ・・ワッシャ
１４    ・・リング
１５    ・・キャップ
１６    ・・レンチ
１７    ・・ビス受け穴
１８    ・・キャップ受け穴
２０    ・・取付部カバー
Ｗ    ・・壁面
Ｘ    ・・回転抵抗付与手段
Ｙ    ・・調整手段
Ｚ    ・・縦型手摺
【図１】
0005088495.tif 000002
【図２】
0005088495.tif 000003
【図３】
0005088495.tif 000004
【図４】
0005088495.tif 000005
【図５】
0005088495.tif 000006